(57)【要約】【課題】他の電子機器等での電波障害の発生を防ぐことができる発光具を提供する。【解決手段】発光部３と、発光パターンを示す専用の音波信号を受信するマイクロフォン５と、マイクロフォン５で受信した音波信号に応じた発光パターンで発光部３を発光させる制御部７とを有する発光具１である。【選択図】図１
2018110071.tif 000002
【特許請求の範囲】
【請求項１】
発光部と、
発光パターンを示す専用の音波信号を受信するマイクロフォンと、
前記マイクロフォンで受信した音波信号に応じた発光パターンで前記発光部を発光させる制御部と、
を有することを特徴とする発光具。
【請求項２】
請求項１に記載の発光具において、
前記音波信号は、超音波で構成されていることを特徴とする発光具。
【請求項３】
請求項１または請求項２に記載の発光具において、
前記制御部には、メモリが設けられており、
前記マイクロフォンは、携帯情報端末が発する音波信号を受信し、
前記制御部は、前記携帯情報端末から受信した音波信号に応じた発光パターンを前記メモリに格納するように構成されていることを特徴とする発光具。
【請求項４】
請求項３に記載の発光具において、
前記携帯情報端末が発する音波信号は、可聴音で構成されていることを特徴とする発光具。
【請求項５】
請求項１〜請求項４のいずれか１項に記載の発光具において、
複数の被押圧部を備えた操作スイッチを有し、
前記各被押圧部は、可撓性のある連結部でお互いが連結されていることを特徴とする発光具。
【発明の詳細な説明】
【技術分野】
【０００１】
本発明は、発光具に係り、たとえば、コンサート会場で使用されるものに関する。
【背景技術】
【０００２】
従来、無線ＬＡＮの信号（電波信号）を受信し、受信した信号に対応した発光パターンで発光する発光具が知れられている（たとえば特許文献１参照）。
【先行技術文献】
【特許文献】
【０００３】
【特許文献１】特開２０１４−２１２０２１号公報
【発明の概要】
【発明が解決しようとする課題】
【０００４】
ところで、従来の発光具では、電波信号を用いて発光パターンを送っているので、他の電子機器等で電波障害が発生するおそれがある。
【０００５】
本発明は、上記問題点に鑑みてなされたものであり、他の電子機器等での電波障害の発生を防ぐことができる発光具を提供することを目的とする。
【課題を解決するための手段】
【０００６】
請求項１に記載の発明は、発光部と、発光パターンを示す専用の音波信号を受信するマイクロフォンと、前記マイクロフォンで受信した音波信号に応じた発光パターンで前記発光部を発光させる制御部とを有する発光具である。
【０００７】
請求項２に記載の発明は、請求項１に記載の発光具において、前記音波信号は、超音波で構成されている発光具である。
【０００８】
請求項３に記載の発明は、請求項１または請求項２に記載の発光具において、前記制御部には、メモリが設けられており、前記マイクロフォンは、携帯情報端末が発する音波信号を受信し、前記制御部は、前記携帯情報端末から受信した音波信号に応じた発光パターンを前記メモリに格納するように構成されている発光具である。
【０００９】
請求項４に記載の発明は、請求項３に記載の発光具において、前記携帯情報端末が発する音波信号は、可聴音で構成されている発光具である。
【００１０】
請求項５に記載の発明は、請求項１〜請求項４のいずれか１項に記載の発光具において、複数の被押圧部を備えた操作スイッチを有し、前記各被押圧部は、可撓性のある連結部でお互いが連結されている発光具である。
【発明の効果】
【００１１】
本発明によれば、他の電子機器等での電波障害の発生を防ぐことができる発光具を提供することができるという効果を奏する。
【図面の簡単な説明】
【００１２】
【図１】本発明の実施形態に係る発光具を示す図である。
【図２】図１におけるＩＩ矢視図である。
【図３】図２におけるＩＩＩ矢視図である。
【図４】本発明の実施形態に係る発光具のボタンスイッチの被押圧部を示す図である。
【図５】本発明の実施形態に係る発光具の動作を示す図である。
【図６】本発明の実施形態に係る発光具で使用される発光パターンを示す信号（情報）を示す図である。
【発明を実施するための形態】
【００１３】
本発明の実施形態に係る発光具１は、たとえば、コンサート用のライトとして観客（使用者）が手に持って使用するものであり、図１〜図３で示すように、発光部３とマイクロフォン５と制御部７とを備えている。
【００１４】
発光部３は、赤色を発する赤色ＬＥＤ（図示せず）と、緑色を発する緑色ＬＥＤ（図示せず）と、青色を発する青色ＬＥＤ（図示せず）とを備えて構成されており、これらの三原色を発する各ＬＥＤそれぞれの光度（輝度）を適宜変えることで、フルカラーで任意の色で発光するようになっている。
【００１５】
マイクロフォン５は、たとえば超音波のみを拾う超音波マイクロフォンで構成されているが、超音波と可聴音を拾うマイクロフォンで構成されていてもよい。また、マイクロフォン５は、制御部７の制御の下、発光部３での発光パターンを示す専用の音波信号を受信する（拾う）ようになっている。
【００１６】
発光パターンを示す専用の音波信号は、たとえば、超音波で構成されており、コンサート会場で演奏される楽曲等の音声とは無関係に、もっぱら発光パターンだけに対応した（発光パターンだけを示す）音波信号（たとえば、発光パターンを示す以外に信号としての意味をなさない信号）になっている。
【００１７】
制御部７は、ＣＰＵ１１とメモリ１３とを備えて構成されており、マイクロフォン５で受信した音波が、発光パターンを示す専用の音波信号（発光パターン音波信号）であるか否かを解析して判断し、発光パターン音波信号であると判断した場合、発光パターン音波信号に応じた発光パターンで発光部３を発光させるようになっている。
【００１８】
発光具１についてさらに詳しく説明すると、発光具１は筐体９を備えており、筐体９は、グリップ（把持部）１５と発光部カバー（発光部覆い）１７とを備えて構成されている。
【００１９】
グリップ１５は黒色等の不透明な合成樹脂で有底円筒状（円筒枡状；円筒の一方の端の円形の開口部を円板で塞いだ形状）に形成されており、円筒の端部（開口している側の端部）の内周にはメスネジ部（図示せず）が形成されている。
【００２０】
発光部カバー１７は、透明もしくは乳白色等の半透明の合成樹脂で有底円筒状に形成されており、円筒の端部（開口している側の端部）の外周にはオスネジ部（図示せず）が形成されている。
【００２１】
そして、発光部カバー１７のオスネジ部がグリップ１５のメスネジ部に螺合することで、グリップ１５と発光部カバー１７とが一体化し、筐体９が形成されている。筐体９の内部には、円柱状の空間が形成されている。
【００２２】
筐体９の内部には、発光部３と、マイクロフォン５と、電池等で構成された電源１９と、ＣＰＵ１１とメモリ１３とを備えて構成された制御部７とが設けられている。発光部３とマイクロフォン５と電源１９と制御部７とは、グリップ１５に一体的に設けられている。
【００２３】
なお、マイクロフォン５と制御部７と電源１９とがグリップ１５内に設けられているのに対して、発光部３は、グリップ１５の開口部から発光部カバー１７側に突出している。そして、発光部３で発した光が、発光部カバー１７を通って、筐体９の外部に出てくるようになっている。すなわち、発光部３が発光した色で発光部カバー１７が発光するようになっている。
【００２４】
電源１９は、制御部７や発光部３に電力を供給するようになっている。また、グリップ１５には、マイクロフォン５用の貫通孔２１が設けられている。
【００２５】
超音波で構成された発光パターン音波信号（音波信号）は、たとえば、そのままの形態で発光部３での発光パターンとなる。
【００２６】
詳しく説明すると、発光パターン音波信号は、たとえば、２値ＦＳＫ変調されている。「０」は、１８．４８ＫＨｚ（ｓｉｎｅ  ｗａｖｅ）で構成され、「１」は、１８．９６ＫＨｚ（ｓｉｎｅ  ｗａｖｅ）で構成されており、レイトは、１２８ボーになっている。
【００２７】
発光パターン音波信号や発光部３での発光パターンを示す電気的信号は、図６（ｂ）で示すように構成されている。図６（ｂ）で示す信号は、赤色の光度を示す８ビットの信号と、緑色の光度を示す８ビットの信号と、青色の光度を示す８ビットの信号と、白色の光度を示す８ビットの信号と、色の移り変わりや点滅パターンや光度の変化や点灯、点滅時間を示す５ビットの信号とで構成されている。
【００２８】
そして、複数の音波信号を順にマイクロフォン５で拾った場合、この拾った各音波信号のそれぞれに対応した発光パターンで、発光部３が順に発光するようになっている。
【００２９】
たとえば、マイクロフォン５で、１つ目に拾った音波信号が、発光部３が赤色を所定の光度で所定の時間（第１の時間）連続発光するパターンであり、２つ目に拾った音波信号が、発光部３が所定の時間（第２の時間）消灯し続けるパターンであり、３つ目に拾った音波信号が、発光部３が青色を所定の光度で所定の時間（第３の時間）連続発光するパターンである場合、発光部３が次の発光パターンで発光するようになっている。
【００３０】
すなわち、発光部３が、赤色の所定の光度で第１の時間発光し、この後ただちに、発光部３が第２の時間消灯し、この後ただちに、発光部３が青色の所定の光度で第３の時間発光するようになっている。
【００３１】
発光部３での発光パターンの構成要素としては、色（１つ目の要素）、光度（２つ目の要素）、点滅の具合（フラッシュの具合；３つ目の要素）、色の移り変わりの具合（フェードインやフェードアウト；４つ目の要素）、光度の移り変わりの具合（フェードインやフェードアウト；５つ目の要素）、発光パターンの持続時間（６つ目の要素）や上記各要素等の組み合わせを掲げることができる。
【００３２】
ところで、制御部７のメモリ１３に、発光パターン音波信号（音波信号）に対応した発光部３での発光パターン（音波信号に関連付けされている発光パターン；発光パターン電気信号）を予め記憶しておき、マイクロフォン５で拾った音波信号に対応した発光パターンによって、発光部３が発光するようになっていてもよい。
【００３３】
たとえば、発光パターン音波信号を、発光パターン電気信号よりも情報量が少ないアルファベット２〜４文字程度のモールス符号で構成し、このモールス符号で構成した発光パターン音波信号に対応する発光パターン電気信号（図６（ｂ）参照）を、メモリ１３に予め記憶しておいて、発光部３を発光させてもよい。
【００３４】
さらに説明すると、アルファベット「ＡＡ」で表される音波信号と、発光部３を緑色の所定光度でしかも所定の時間間隔で点滅し発光させる電気的信号とを、お互いに対応づけられた１セットの発光パターン信号として、メモリ１３に予め格納しておき、アルファベット「ＢＺ」で表される音波信号と、発光部３を赤色の所定光度でしかも連続して所定の時間発光させる電気的信号とを、お互いに対応づけられた他の１セットの発光パターン信号として、メモリ１３に予め格納しておいてもよい。
【００３５】
そして、マイクロフォン５が、「ＡＡ」で表される音波信号を拾ったときに、発光部３を緑色の所定光度でしかも所定の時間間隔で点滅し発光させ、「ＢＺ」で表される音波信号を拾ったときに、発光部３を赤色の所定光度でしかも連続して所定の時間発光させるようにしてもよい。
【００３６】
さらに、アルファベット「ＡＡＢ」で表される音波信号と、発光部３が、赤色の所定の光度で所定時間連続発光し（常灯し）、この後、発光をしたまま所定時間内に紫等の中間色を経て次第に青色に移行し、この後、青色で所定時間連続発光し、この後、所定時間消灯し、この後、赤色の所定の光度で所定時間連続発光し、・・・を繰り返する発光パターンとをお互いに対応させて、予めメモリ１３に記憶しておいてもよい。
【００３７】
また、発光具１のマイクロフォン５は、図示しない携帯情報端末（たとえば、スマートフォン等の携帯電話端末）が発する音波信号を受信するようになっている。そして、制御部７は、携帯情報端末から受信した音波信号、もしくは、携帯情報端末から受信した音波信号に応じた発光パターンをメモリ１３に格納するように構成されている。なお、音波信号は、たとえば可聴音で構成されているが、超音波で構成されていてもよい。
【００３８】
携帯情報端末は、たとえば、この入力部（タッチパネルやインターネット等のコンピュータネットワーク）から入力された発光パターンを音波信号に変換して、携帯情報端末のスピーカ等の出力部から出力するようになっている。そして、携帯情報端末から出力された音波信号を、発光具１のマイクロフォン５が拾うようになっている。
【００３９】
さらに説明すると、携帯情報端末に種々の発光パターンが順に入力されると、携帯情報端末は、種々の発光パターンを一旦携帯情報端末のメモリに格納し、このメモリに格納されている各発光パターンを順に音波信号に変換し、スピーカから発光具１に向けて発するようになっている。
【００４０】
携帯情報端末から音波信号を受け取った発光具１は、音波信号を電気的信号に変換して、メモリ１３に格納する。そして、発光開始の操作スイッチ（たとえば押しボタンスイッチ）２３が押されたときに、受け取った発光パターン順に、発光部３が発光するようになっている。これらにより、携帯情報端末で作成した発光動作プログラムが発光具１に供給されていることになる。
【００４１】
発光具１のグリップ１５には、複数の被押圧部２５（２５Ａ，２５Ｂ，２５Ｃ）を備えた操作スイッチ２３が設けられている。各被押圧部２５は、図４で示すように、可撓性のある連結部２７でお互いが連結されている。また、各被押圧部２５と連結部２７とは合成樹脂で一体成形されている。
【００４２】
また、発光具１には、発光部（第１の発光部）３とは別の発光部（図示しない第２の発光部）が設けられている。第２の発光部は、たとえば、白色を発するＬＥＤで構成されており、グリップ１５内に設けられている。各被押圧部２５と連結部２７とは、透明もしくは半透明になっており、第２の発光部が発した光が透過するようになっている。これにより、暗がりでも、第２の発光部が発した光によって、各被押圧部２５（２５Ａ，２５Ｂ，２５Ｃ）が光るようになっている。
【００４３】
さらに、発光具１には、操作スイッチ２３とは別の操作スイッチであるトリガースイッチ２３ａが設けられており、トリガースイッチ２３ａも操作スイッチ２３と同様に、第２の発光部が発した光によって光るようになっている。
【００４４】
次に、発光具１の動作について、図５を参照しつつ説明する。
【００４５】
発光具１の電源がＯＦＦになっている状態で、被押圧部２５Ａ，２５Ｂを同時に長押しすると、発光具１の電源がＯＮになる（Ｓ１）。
【００４６】
続いて、音波信号（データ信号）の待機をする（Ｓ３）。すなわち、マイクロフォン５で音波信号を拾ったか否かを判断する。
【００４７】
続いて、マイクロフォン５で音波信号（リンクモードの音波信号）を拾った場合には、リンクモードに移行する（Ｓ５）。このリンクモードは、発光具１がたとえばコンサート会場での使用される場合のモードであり、発光部３での発光パターンがリアルタイムで変化する。なお、リンクモードに移行したとき、移行したことを示すために発光部３が所定の発光パターンで発光する（たとえば所定の色で常灯するが消灯してもよい）。
【００４８】
さらに説明すると、超音波で構成された音波信号（図６（ｂ）で示す発光パターン等を示す音波信号）をマイクロフォン５で受信したか否かを判断し（Ｓ７）、音波信号をマイクロフォン５で受信した場合、この受信した音波信号に対応した発光パターンで発光部３が発光し（Ｓ９）、ステップＳ７に戻る。
【００４９】
なお、超音波で構成された音波信号は、コンサート会場に設置されている超音波発振器から発せられる。そして、超音波発振器から発振する音波信号を時刻の経過とともに変えることで、発光具１の発光部３での発光パターンをコンサート会場で演奏される曲等に合わせてリアルタイムで適宜変更する。
【００５０】
また、リンクモードにおいて、超音波の音波信号の受信が成功したときには、成功したことを示すために発光部３が所定の発光パターンで発光する（たとえば所定の色で常灯するが消灯してもよい）。一方、リンクモードにおいて、超音波の音波信号の受信が失敗したときには、受信が失敗したとき失敗したことを示すために発光部３が所定の発光パターン（たとえば赤色での点滅２回）で発光する。
【００５１】
ステップＳ７において、終了を示す音波信号を受信したときには、リンクモードを終了し、ステップＳ３に戻る。なお、リンクモードが終了したときリンクモードが終了したことを示すために発光部３が所定の発光パターン（たとえば緑色での点滅２回）で発光する。ステップＳ７において、被押圧部２５Ａ，２５Ｂが同時に長押されると、発光具１の電源がＯＦＦになる（Ｓ１３）。
【００５２】
ステップＳ３において、マイクロフォン５で音波信号（携帯情報端末から発せられた書き込みの音波信号）を拾った場合には、書き込みモードに移行し、マイクロフォン５で拾った音波信号に応じた発光パターン（図６（ｃ）参照）をメモリ１３に格納する（Ｓ１１）。
【００５３】
なお、図６（ｃ）の左端から４つ目（４ビット目）までの「１０１０」は、開始信号を示しており、左端から５つ目から７つ目までの「００１」は、色登録の開始を示している。また、書き込みモードに移行したときに書き込みモードに移行したことを示すために発光部３が所定の発光パターン（たとえば緑色での点滅２回）で発光する。
【００５４】
また、マイクロフォン５で拾った音波信号に応じた発光パターン（図６（ｃ）参照）をメモリ１３に書き込む（格納する）ことが成功した場合には、成功したことを示すために発光部３が所定の発光パターン（たとえば青色での点滅２回）で発光し、失敗した場合には、失敗したことを示すために発光部３が所定の発光パターン（たとえば赤色での点滅２回）で発光する。
【００５５】
発光具１によれば、電波を用いることなく音波信号を用い、音波信号に応じた発光パターンで発光部３が発光するので、他の電子機器での電波障害を発生させることなく、様々な発光パターンでの発光をすることができる。
【００５６】
また、マイクロフォン５が拾った音波信号（発光パターンを示す専用の音波信号）に応じた発光パターンで発光部３が発光するので、コンサート会場を区画してこの区画された場所毎に異なった発光パターンで発光具１を発光させることができる。
【００５７】
すなわち、従来のように電波信号を用いて発光パターンを制御する場合、コンサート会場全体を、同じ発光パターンで発光させることになる。つまり、コンサート会場に集う多数の観客の総てがそれぞれ発光具を所持している場合、コンサート会場の総ての発光具が電波信号に応じた１種類の発光パターンで発光してしまう。
【００５８】
しかし、コンサート会場を複数の部分に区画し、この区画された部分毎に、指向性の高い超音波を用いた音波信号（区画された部分毎に異なる音波信号）を、観客が持っている発光具１に向けて発すれば、コンサート会場の区画された部分毎に、異なった発光パターンで発光具１を発光させることができる。これにより、コンサート会場での盛り上がりを一層高めることができる。
【００５９】
また、発光具１によれば、音波信号が超音波で構成されているので、コンサート会場で使用される場合、観客には聞こえず、コンサート会場での雰囲気を壊すことがない。
【００６０】
また、発光具１によれば、携帯情報端末によって発光パターンを決めること（携帯情報端末を用いた発光プログラムの発光具１への転送）ができるので、発光具１の構成を、多数の押しボタンスイッチを設ける等して複雑化することなく簡素にしても、様々な発光パターンで発光部３を発光させることが容易にできる。
【００６１】
また、携帯情報端末が発する音波信号を可聴音にすれば、使用者が音波信号を認識することができ、携帯情報端末から発光具１への音波信号の供給を確実に行うことができる。
【００６２】
また、発光具１によれば、各被押圧部２５が可撓性のある連結部２７でお互いに連結しているので、発光具１の部品管理が容易になり、組立作業が簡素化される。
【００６３】
また、各被押圧部２５と連結部２７とを透明体もしくは半透明体で構成すれば、発光部３の他に、各被押圧部２５をＬＥＤ等の発光体（たとえば、上述した第２の発光部）を用いて発光させたい場合、連結部２７が導光材の役目を果たし、たとえば、１つの発光体で構成された発光部を用いて複数の被押圧部２５（２５Ａ，２５Ｂ，２５Ｃ）を発光させることができる。
【００６４】
また、発光具１では、操作スイッチ２３を操作することで、メモリ１３に発光パターンを書き込み、メモリ１３に格納されている発光パターンを書き換えることができる。
【００６５】
また、被押圧部２５Ｂ，２５Ｃを同時に長押しすることで、色登録モードに移行し（図５参照）、発光部３は発する色を、操作スイッチ２３を操作することで、メモリ１３に登録することができる。登録される色は、図６（ｂ）で示す場合と同様に、８×４＝３２ビットの信号で構成されている（図６（ａ）参照）。また、登録された色は、たとえば、操作スイッチ２３の簡易な操作で、発光パターンに組み入れることができる。
【００６６】
また、被押圧部２５Ｂ，２５Ｃとトリガースイッチ２３ａを同時に長押しすることで、トリガ登録モードに移行し（図５参照）、この後、トリガースイッチ２３ａを押したときに発光部３が発する発光パターンを、上述したように携帯情報端末を用いる等してメモリ１３に登録することができる。
【００６７】
また、被押圧部２５Ａをたとえば短時間押したときには、発光部３が通常の発光（たとえば、所定光度の白色や赤色等の任意の色で連続発光）する。
【符号の説明】
【００６８】
１  発光具
３  発光部
５  マイクロフォン
７  制御部
１３  メモリ
２５  被押圧部
２３  操作スイッチ
２７  連結部
【図１】
2018110071.tif 000003
【図２】
2018110071.tif 000004
【図３】
2018110071.tif 000005
【図４】
2018110071.tif 000006
【図５】
2018110071.tif 000007
【図６】
2018110071.tif 000008